(57)【特許請求の範囲】
【請求項１】
ベッド本体の上部に配した分割マットレスであって、就寝する人の頭部側に配する背部対応部、腰部対応部及び脚部対応部からなる分割マットレスと、
前記背部対応部をその内端側を支点にして起伏させる起伏駆動機構と、
前記背部対応部及び前記腰部対応部を、その定位置と移動によって該腰部対応部の後端が前記ベッド本体の後端に到達することとなる位置との間で往復動させるための往復駆動機構と、
前記脚部対応部を、定位置に位置する背部対応部及び腰部対応部の下方に進退自在に進入させるための進退駆動機構と、
前記脚部対応部の下方に配した便器と、
前記ベッド本体の後端に前記分割マットレスの脚部対応部側を向け得るように配した一対の棒状支持材を備えた脇の下支持部であって、該棒状支持材で両脇の下を支持された被介護者が前記ベッド本体の後端外方で立ち上がり得るように、該後端外方の斜め上方に向かって該棒状支持材を昇降自在に移動し得るように構成した脇の下支持部と、
で構成し、
前記脇の下支持部を、前記ベッド本体の後端付近の両側からそれぞれ後方に傾いた状態で昇降伸縮自在に立ち上げた一対の支持脚と、該両支持脚の上端間をつなぐ連結部材と、該連結部材の中央部に人の肩幅を越える程度の間隔で隙間をあけ、かつその隙間の両端にそれぞれ回動自在に軸着した一対の棒状支持材であって、不使用時にはその全体を該連結部材上に載置状態に位置させ、使用時にはベッド本体側を向けて相互が平行状態になるように回動させ得るように構成した棒状支持材とを備えたものに構成し、
前記一対の支持脚の各々と前記連結部材の両端との各結合を後者が前者に水平方向に回動自在かつ着脱自在であるように構成するとともに、前記連結部材の両端付近から各々ベッド本体の後端の後方に延長した補助脚を構成し、かつ該補助脚の下端に自在車を取り付けた介護用ベッド。
【請求項２】
ベッド本体の上部に配した分割マットレスであって、就寝する人の頭部側に配する背部対応部、腰部対応部及び脚部対応部からなる分割マットレスと、
前記背部対応部をその内端側を支点にして起伏させる起伏駆動機構と、
前記背部対応部及び前記腰部対応部を、その定位置と移動によって該腰部対応部の後端が前記ベッド本体の後端に到達することとなる位置との間で往復動させるための往復駆動機構と、
前記脚部対応部を、定位置に位置する背部対応部及び腰部対応部の下方に進退自在に進入させるための進退駆動機構と、
前記脚部対応部の下方に配した便器と、
前記ベッド本体の後端に前記分割マットレスの脚部対応部側を向け得るように配した一対の棒状支持材を備えた脇の下支持部であって、該棒状支持材で両脇の下を支持された被介護者が前記ベッド本体の後端外方で立ち上がり得るように、該後端外方の斜め上方に向かって該棒状支持材を昇降自在に移動し得るように構成した脇の下支持部と、
で構成し、
前記脚部対応部を、その前端及び後端に配した回転自在なローラ部材と、これらに掛け渡した無端ベルト部材と、該無端ベルト部材の上方側の直下に配した滑面部材とで構成し、
前記脇の下支持部を、前記ベッド本体の後端付近の両側からそれぞれ後方に傾いた状態で昇降伸縮自在に立ち上げた一対の支持脚と、該両支持脚の上端間をつなぐ連結部材と、該連結部材の中央部に人の肩幅を越える程度の間隔で隙間をあけ、かつその隙間の両端にそれぞれ回動自在に軸着した一対の棒状支持材であって、不使用時にはその全体を該連結部材上に載置状態に位置させ、使用時にはベッド本体側を向けて相互が平行状態になるように回動させ得るように構成した棒状支持材とを備えたものに構成し、
前記一対の支持脚の各々と前記連結部材の両端との各結合を後者が前者に水平方向に回動自在かつ着脱自在であるように構成するとともに、前記連結部材の両端付近から各々ベッド本体の後端の後方に延長した補助脚を構成し、かつ該補助脚の下端に自在車を取り付けた介護用ベッド。
【発明の詳細な説明】
【０００１】
【発明の属する技術分野】
本発明は、自力で起き上がることのできなくなった病人や老人等の被介護者の起き上がり動作や、排便、更には車椅子等への移動が容易に行える介護用ベッドに関するものである。
【０００２】
【従来の技術】
従来のこの種の介護用ベッドには、これに寝ている被介護者が排便する際に使用する便器を備えたり、また便器に加えてこれに被介護者を座らせるために利用するリクライニング機構等を備えたもの（特開平１１−１５１２７１号等）は比較的数多く提案されている。
【０００３】
しかしいずれも用便時に、便器をスムーズに使用可能な状態に状態変化させるのが厄介であったり、ベッドに寝ている被介護者を該便器上に移動させたり、座らせたりするのがなかなか厄介であったり、更にはその姿勢を良好に保持させることができず、それ故、被介護者が良好な排便動作を行いにくかったりと、それぞれがいずれかの問題を抱えている。
【０００４】
また該介護用ベッドは、これに寝ている被介護者を様々な理由から車椅子等に乗せたい場合がしばしばあり、それなりの機構が考えられているようであるが、これを簡易かつ良好に行うための満足すべき手段は提供されていない。
【０００５】
【発明が解決しようとする課題】
本発明は、以上のような従来の介護用ベッドの問題点を解決し、便器を備えるとともに、必要な際には、該便器を使用可能な状態にスピーディかつ簡単に移行させることができ、またその際に、寝ていた被介護者を介護者に無用の負担をかけずに起こして、該便器上に移動させ得る介護用ベッドを提供することを解決の課題とする。また被介護者がベッド上から車椅子等に簡易に移動することのできる手段をも備えた介護用ベッドを提供することを解決の課題とする。
【０００６】
【課題を解決するための手段】
本発明の１は、ベッド本体の上部に配した分割マットレスであって、就寝する人の頭部側に配する背部対応部、腰部対応部及び脚部対応部からなる分割マットレスと、
前記背部対応部をその内端側を支点にして起伏させる起伏駆動機構と、
前記背部対応部及び前記腰部対応部を、その定位置と移動によって該腰部対応部の後端が前記ベッド本体の後端に到達することとなる位置との間で往復動させるための往復駆動機構と、
前記脚部対応部を、定位置に位置する背部対応部及び腰部対応部の下方に進退自在に進入させるための進退駆動機構と、
前記脚部対応部の下方に配した便器と、
前記ベッド本体の後端に前記分割マットレスの脚部対応部側を向け得るように配した一対の棒状支持材を備えた脇の下支持部であって、該棒状支持材で両脇の下を支持された被介護者が前記ベッド本体の後端外方で立ち上がり得るように、該後端外方の斜め上方に向かって該棒状支持材を昇降自在に移動し得るように構成した脇の下支持部と、
で構成し、
前記脇の下支持部を、前記ベッド本体の後端付近の両側からそれぞれ後方に傾いた状態で昇降伸縮自在に立ち上げた一対の支持脚と、該両支持脚の上端間をつなぐ連結部材と、該連結部材の中央部に人の肩幅を越える程度の間隔で隙間をあけ、かつその隙間の両端にそれぞれ回動自在に軸着した一対の棒状支持材であって、不使用時にはその全体を該連結部材上に載置状態に位置させ、使用時にはベッド本体側を向けて相互が平行状態になるように回動させ得るように構成した棒状支持材とを備えたものに構成し、
前記一対の支持脚の各々と前記連結部材の両端との各結合を後者が前者に水平方向に回動自在かつ着脱自在であるように構成するとともに、前記連結部材の両端付近から各々ベッド本体の後端の後方に延長した補助脚を構成し、かつ該補助脚の下端に自在車を取り付けた介護用ベッドである。
【０００７】
本発明の２は、ベッド本体の上部に配した分割マットレスであって、就寝する人の頭部側に配する背部対応部、腰部対応部及び脚部対応部からなる分割マットレスと、
前記背部対応部をその内端側を支点にして起伏させる起伏駆動機構と、
前記背部対応部及び前記腰部対応部を、その定位置と移動によって該腰部対応部の後端が前記ベッド本体の後端に到達することとなる位置との間で往復動させるための往復駆動機構と、
前記脚部対応部を、定位置に位置する背部対応部及び腰部対応部の下方に進退自在に進入させるための進退駆動機構と、
前記脚部対応部の下方に配した便器と、
前記ベッド本体の後端に前記分割マットレスの脚部対応部側を向け得るように配した一対の棒状支持材を備えた脇の下支持部であって、該棒状支持材で両脇の下を支持された被介護者が前記ベッド本体の後端外方で立ち上がり得るように、該後端外方の斜め上方に向かって該棒状支持材を昇降自在に移動し得るように構成した脇の下支持部と、
で構成し、
前記脚部対応部を、その前端及び後端に配した回転自在なローラ部材と、これらに掛け渡した無端ベルト部材と、該無端ベルト部材の上方側の直下に配した滑面部材とで構成し、
前記脇の下支持部を、前記ベッド本体の後端付近の両側からそれぞれ後方に傾いた状態で昇降伸縮自在に立ち上げた一対の支持脚と、該両支持脚の上端間をつなぐ連結部材と、該連結部材の中央部に人の肩幅を越える程度の間隔で隙間をあけ、かつその隙間の両端にそれぞれ回動自在に軸着した一対の棒状支持材であって、不使用時にはその全体を該連結部材上に載置状態に位置させ、使用時にはベッド本体側を向けて相互が平行状態になるように回動させ得るように構成した棒状支持材とを備えたものに構成し、
前記一対の支持脚の各々と前記連結部材の両端との各結合を後者が前者に水平方向に回動自在かつ着脱自在であるように構成するとともに、前記連結部材の両端付近から各々ベッド本体の後端の後方に延長した補助脚を構成し、かつ該補助脚の下端に自在車を取り付けた介護用ベッドである。
【００１０】
【発明の実施の形態】
本発明は、基本的に、背部対応部、腰部対応部及び脚部対応部からなる分割マットレスと、上記背部対応部を起伏させる起伏駆動機構と、上記背部対応部及び腰部対応部をベッド本体の後端（就寝する人の脚部側となる端部）との間で往復動させるための往復駆動機構と、前記脚部対応部を背部対応部及び腰部対応部の下方に進退自在に進入させるための進退駆動機構と、前記脚部対応部の下方に配した便器と、被介護者を便器に座らせる際又は車椅子に乗せる際に使用する脇の下支持部とで構成した介護用ベッドである。
【００１１】
前記分割マットレスの内、背部対応部及び腰部対応部は、一般のマットレスとしての機能を有するとともに、相互を背部対応部が起伏自在であるようにヒンジ等で結合する。上記背部対応部及び腰部対応部は、それぞれその両側部及びベッド本体の対応する部位に前後方向への移動手段を構成する。例えば、それぞれの両側部にスライド部材を設け、これらをベッド本体の対応部位に配した案内レール上にスライド自在に載置する構成とすることができる。あるいはそれぞれの両側部に回動自在なローラ部材を取り付け、これらをベッド本体の対応する部位に配した案内レール上に転動自在に載置することができる。
【００１２】
前記分割マットレスの内、脚部対応部は、その前端及び後端に配した回転自在なローラ部材と、これらに掛け渡した無端ベルト部材と、該無端ベルト部材の上方側の直下に配した滑面部材とで構成するのが適当である。このように構成することにより、後述するように、前記背部対応部を起こして、ベッド上に寝ている被介護者を起こし、この状態で該背部対応部及び腰部対応部をベッド本体の脚部端側にスライド移動させる際に、被介護者の脚部が前記脚部対応部上で滞ることなく、スムーズにベッド本体の脚部側端を越えてその後方まで移動することができることとなるからである。
【００１３】
前記脚部対応部にも、前記背部対応部及び腰部対応部と同様に、その両側部及びベッド本体の対応する部位に前後方向への移動手段を構成する。例えば、その両側部にスライド部材を設け、これらをベッド本体の対応部位に配した案内レール上にスライド自在に載置する構成とすることができる。あるいはその両側部に回動自在な転動ローラを取り付け、これらをベッド本体の対応する部位に配した案内レール上に転動自在に載置することができる。以上の案内レールは、いずれにしても前記脚部対応部が、前記背部対応部及び腰部対応部の直下に進退自在に移動する必要があるので、その高さ位置に配すべきである。
【００１４】
なお前記脚部対応部は、前記背部対応部及び腰部対応部より、少なくともその厚み分だけは低い位置に位置することとなるので、被介護者が単に寝ている場合には、その凹みが不都合になる。それ故、この凹みを補う補助マット等をその上に配することとするのが適当である。
【００１５】
前記背部対応部を起伏させる起伏駆動機構は、該背部対応部を起伏させることができる機構であれば特定のそれに限定されない。例えば、主たる装置として油圧又は空気圧シリンダを採用し、該シリンダ本体の下端を上記腰部対応部に固設した支持フレームの一部に起伏自在にピン結合し、そのロッドの先端を前記背部対応部の裏面にピン結合する等によって構成することができる。
【００１６】
なお前記起伏駆動機構として、前記背部対応部の下方に、上記のように、空気圧シリンダを用いた機構を構成する場合、若しくは、同様に、該背部対応部の下方に位置する他の構成の機構を配する場合は、いずれにしても、該背部対応部の下方には前記脚部対応部が進退自在に進入するので干渉を生じないように相互の関係を調整する必要がある。
【００１７】
例えば、前記背部対応部の下方に構成すべき空気圧シリンダ等を用いた起伏駆動機構を、その下部両側に設置し、前記脚部対応部を、該背部対応部の下方に進入しても、それらの起伏駆動機構に接触することのないような幅狭に構成する等である。
【００１８】
前記往復駆動機構も、前記背部対応部及び腰部対応部を往復動作駆動することができれば、特定の構成のそれに限定されない。この往復駆動機構も油圧又は空気圧シリンダの伸縮動作を利用して該背部対応部等を進退駆動するように構成することができる。または電動モータを利用し、これを前記腰部対応部の下部等に取り付け、該電動モータの駆動軸に減速機等を介して結合したピニオンを正逆回転駆動し、これを、前記背部対応部等が往復動すべき範囲内に、その方向に合わせてラックを配するとともに、該ラックに噛み合わせて、これに沿って往復動するように構成することができる。勿論その他の構成を採用することも自由である。しかし前記脚部対応部の背部対応部等の下方への進入を妨げない位置関係で設置する必要はある。
【００１９】
前記進退駆動機構は、前記脚部対応部を前記所定の範囲内で進退移動させることができるものであれば、特定の構成のそれに限定されない。この進退駆動機構も前記往復駆動機構と同様に構成することができる。なお位置関係は、前記のように、前記背部対応部及び前記腰部対応部の直下の高さの位置である。
【００２０】
前記便器は、前記脚部対応部の下方に配置するものであり、その下部に該便器に排便された便を受け取る便槽をその下部に備えたものである必要がある。臭気等を周囲に撒き散らさないように、用便時にはその内部を陰圧に保持する手段等を備えていることが好ましい。また便器内を用便後に洗浄できるように、水洗手段を備えていることが好ましい。
【００２１】
前記脇の下支持部は、分割マットレスの背部対応部を起こし、これを腰部対応部とともにベッド本体の後端側に移動させた際に、該背部対応部によって起こされ、ベッド本体の後端側に移動した被介護者の脇の下にその棒状支持材をそれぞれ差し込んで、該被介護者を支持しつつ立ち上がらせ、分割マットレスの背部対応部及び腰部対応部を定位置に復帰させ、かつ脚部対応部をそれらの下部に移動させて、その下部の便器を露出させるとともに、該脇の下支持部の棒状支持材を下降させて被介護者を該便器に腰掛けさせるように使用でき、またその逆の動作に使用できるものである必要がある。
【００２２】
したがって具体的には、前記脇の下支持部は、その一対の棒状支持材を前記ベッド本体の後端に、前記脚部対応部側を向け得るように配し、該一対の棒状支持材によって両脇の下を支持された被介護者が前記ベッド本体の後端外方で立ち上がり得るように、該棒状支持材を、ベッド本体の後方の斜め上方に向かって昇降自在に移動し得るように構成したものである。
【００２３】
更に具体的には、前記脇の下支持部は、前記ベッド本体の後端付近の両側からそれぞれ後方に傾いた状態で昇降伸縮自在に立ち上げた一対の支持脚と、該両支持脚の上端間をつなぐ連結部材と、該連結部材の中央部に人の肩幅を越える程度の間隔で隙間をあけ、かつその隙間の両端にそれぞれ回動自在に軸着した一対の棒状支持材であって、不使用時にはその全体を該連結部材上に載置状態に位置させ、使用時にはベッド本体の上方で相互が平行状態になるように回動させ得るように構成した棒状支持材とからなるものである。
【００２４】
また以上のような脇の下支持部は、その一対の支持脚のそれぞれと前記連結部材の両端との各結合を後者が前者に対して水平方向に回動自在かつ着脱自在であるように構成するとともに、前記連結部材の両端付近からベッド本体の後端外方に延長した補助脚を備えさせ、かつ該補助脚の下端には自在車を取り付ける構成を採用したものである。
【００２５】
したがって本発明の介護用ベッドによれば、次のように、自力で起き上がることができない老人や重病人等の被介護者をこれに寝せると、上半身を起こす場合、用便をさせる場合、あるいはベッドから降ろして車椅子等に移動させる場合に、容易にそのような動作を補助することができて好都合である。
【００２６】
本発明の介護用ベッドに寝ている被介護者の上半身を起こす場合は、前記起伏駆動機構を動作させ、前記分割マットレスの内、背部対応部を起立動作させれば良い。これによって被介護者は背中から押し上げられて、上半身を徐々に起こすことになる。勿論、この場合、必要に応じて、身体にかけてある毛布や布団の内、上半身にかけてある部分を足下の方に折り返し、あるいは全体を取り除いておくこととする。
【００２７】
用便をするために上半身を起こした場合は、掛け布団等を取り除き、かつ前記分割マットレスの内、脚部対応部上に載せてあった補助マットを取り除いた上で、前記往復駆動機構を動作させ、前記分割マットレスの内の背部対応部及び腰部対応部をベッド本体の後端側に移動させる。こうして被介護者をベッド本体の後端側に移動させ、ついにはその両脚を該ベッド本体の後端から垂下させるようにする。なおこのような被介護者の移動の際に、その両脚は、前記脚部対応部上をベッド本体の後端側に移動することとなるが、前記のように、これを回転自在なローラ部材と、これらに掛け渡した無端ベルト部材と、該無端ベルト部材の上方側の直下に配した滑面部材とで構成したため、被介護者の両脚の移動に伴って該ベルト部材の上方側が同方向に移動するので、無理な摩擦等が生ぜず、楽に移動させることができ、好都合である。
【００２８】
こうして被介護者がベッド本体の後端まで移動し、その両脚を該部位から外側に垂下させるような状態になる時点で、あるいはその前に、前記脇の下支持部の一対の棒状支持材を人の脇の下の幅で平行にベッド本体の前方を向けた状態に回動させておけば、移動されてきた被介護者の脇の下にそれぞれを挿入し、該被介護者の上半身を起こした状態をこれらによって支持することができる。背中支持用のベルトを用意しておけば、これを被介護者の背中に回し、該ベルトの両端をそれぞれ前記一対の棒状支持材の端部に結合する事で、被介護者をより安全性高く支持することができる。
【００２９】
以上の状態から、前記脇の下支持部の棒状支持材をベッド本体の後方に向かって斜め上方に上昇させると、被介護者は脇の下で支えられた状態で、その上半身が徐々に後方に移動させられながらベッド本体の後端外方に移動して立ち上がることとなる。
【００３０】
被介護者をこのように脇の下で支持して立ち上がった状態を保持する間に、前記往復駆動機構を動作させ、前記分割マットレスの背部対応部及び腰部対応部を定位置まで復帰させ、更に同時に又は順次、前記進退駆動機構を動作させて、前記分割マットレスの脚部対応部を、定位置に復帰した背部対応部及び腰部対応部の下方に移動進入させる。
【００３１】
こうして前記脚部対応部が定位置から前記背部対応部等の下方に移動してしまうと、該脚部対応部に被覆されていた便器がその下から現れる。ここで前記脇の下支持部の棒状支持材を下降動作させると、該棒状支持材は、前記したのとは逆に、ベッド本体の前方に向かって斜めに下降する動作になるので、これによって支持されている被介護者はその下降とともに下降し、ついには前記便器に腰掛ける状態になる。
【００３２】
したがって該脇の下支持部の棒状支持材の下降動作を開始させる前に、被介護者が立っている状態で、必要な着衣を脱がせる等の処置をしておけば、該棒状支持材を必要なだけ下降動作させることにより、被介護者を、上記のように、用便可能な状態で前記便器に腰掛けさせることができることとなる。そして被介護者は、この状態で、該棒状支持材及び背後のベルトで安全に保護されつつ排便動作を行うことができる。
【００３３】
排便の終了後には、該棒状支持材を上昇動作させ、被介護者を立ち上がらせて、必要な処置を取り、かつ着衣を着せ、これと前後して、前記進退駆動機構を動作させて、前記分割マットレスの脚部対応部を、定位置、即ち、便器の上に復帰させる。なお便器の水洗手段を適当な時点で動作させて洗浄すべきなのは云うまでもない。
【００３４】
この後、若しくは、前記脚部対応部を定位置に復帰させるのと同時に、前記往復駆動機構を動作させ、前記分割マットレスの背部対応部及び腰部対応部をベッド本体の後端側に移動させ、次いで、また前記脇の下支持部の棒状支持材を下降動作させて、被介護者を、前記脚部対応部上に位置する腰部対応部上に腰掛けさせる。このとき、前記背部対応部を伏状態に復帰させてあった場合は、前記起伏駆動機構を動作させて、再度起立させ、また起立状態のままに維持しておいた場合は、そのまま起立状態を維持しながら、被介護者の背中を支持していた脇の下支持部のベルトを取り外し、該背部対応部に寄りかからせるようにする。
【００３５】
この状態で、また前記往復駆動機構を動作させて前記背部対応部及び腰部対応部を定位置に復帰させ、次いで前記起伏駆動機構を伏動作させて、該背部対応部を伏状態に戻し、その後、前記脚部対応部に補助マットを載せ、加えて、先に取り除いた掛け布団等を被介護者の上に載せれば、寝ている状態から排便、そして寝ている状態に復帰する動作の全てが完了する。
【００３６】
次に、被介護者をベッドから降ろして車椅子等に移動させる場合について説明する。
この場合は、ベッド本体の後端まで被介護者を移動させて、この位置で脇の下支持部を使用して立ち上がらせるまでは、以上の用便をさせる手順と同様である。したがってそれに続く動作から説明する。
【００３７】
この段階、即ち、両脇の下にそれぞれ上記脇の下支持部の棒状支持材を挿入して被介護者を立ち上がらせた段階で、前記連結部材の両端と両支持脚との結合部の内の適当な方の結合を解く。
【００３８】
次いで、結合を維持している他方の支持脚を中心に該連結部材を外側に向かってゆっくり回動させると、前記脇の下支持部の一対の棒状支持材に両脇の下を支持された被介護者は、これに追随してゆっくりとその方向に移動し、例えば、該連結部材をベッド本体の長さ方向と平行になるまで回動させれば、該被介護者の背中側をベッド本体の後方でその長さ方向に直交する方向に向けた状態に移行させることができる。
【００３９】
該被介護者を、以上のようにベッド本体の後方に移動させ、かつ上記のように、ベッド本体の長さ方向に直交する向きに背中を向けさせると、該被介護者の背後に車椅子を移動させることが容易になり、かつ背後に移動させた車椅子に被介護者は単に腰を下ろすだけで、容易に着座することができることとなる。
【００４０】
この後、車椅子を該位置から移動させた上で、前記連結部材を逆方向に回動させ、次いで、その取り外した端部を対応する支持脚と結合しておくこととする。
【００４１】
なお以上の連結部材の回動動作の際、連結部材両端付近に補助脚を構成し、その下端に自在車を取り付けた構成としてあるため、その動作が安定したものとなる。
【００４２】
【実施例】
以下、図面に基づいて本発明の一実施例を説明する。
図面は本発明の一実施例の介護用ベッドの全体又は一部を示すもので、図１は介護用ベッドの平面説明図、図２は介護用ベッドの側面説明図、図３は分割マットレスの脚部対応部を示す断面説明図、図４は分割マットレスの背部対応部を示す断面説明図、図５は脇の下支持部の動作を示す平面説明図、図６(a)は脇の下支持部の連結部材と支持脚との連結部の構成を示す分解状態の平面説明図、図６(b)は脇の下支持部の連結部材と支持脚との連結部の構成を示す分解状態の一部切欠側面説明図、図７は分割マットレスの背部対応部及び腰部対応部の往復駆動機構を示す側面説明図、図８は分割マットレスの進退駆動機構を示す側面説明図、図９は脇の下支持部の昇降駆動機構を示す側面説明図である。
【００４３】
この実施例の介護用ベッドは、図１及び図２に示すように、ベッド本体１に各構成要素を取り付けて構成するものである。
図１〜図９に示すように、上記ベッド本体１に取り付けられる構成要素には、背部対応部２ａ、腰部対応部２ｂ及び脚部対応部２ｃからなる分割マットレス２と、上記背部対応部２ａを起伏させる起伏駆動機構３と、上記背部対応部２ａ及び腰部対応部２ｂをベッド本体１の後端との間で往復動させるための往復駆動機構４と、前記脚部対応部２ｃを背部対応部２ａ及び腰部対応部２ｂの下方に進退自在に進入させるための進退駆動機構５と、前記脚部対応部２ｃの下方に配した便器６と、被介護者を便器６に座らせる際又は車椅子Ｃに乗せる際に使用する脇の下支持部７とがある。
【００４４】
前記分割マットレス２の内、背部対応部２ａ及び腰部対応部２ｂは、それぞれ表面側は通常のマットレスとしての弾力性その他の機能を備えるとともに、裏面側にはこれらを板状に保持する補強材を備えたもので、相互間は、図１及び図２に示すように、該背部対応部２ａが該腰部対応部２ｂに起伏自在になるように一対のヒンジｈ、ｈで結合してある。
【００４５】
前記起伏駆動機構３は、既述のように、前記分割マットレス２の背部対応部２ａを起伏させる機構であるが、これは、図２及び図７に示すように、前記腰部対応部２ｂの裏面の両側（前記脚部対応部２ｃの両側より外側にそれぞれ固設した支持フレーム３ａ、３ａと、一対の空気圧シリンダ３ｂ、３ｂと、図示しないコンプレッサその他からなる圧縮空気の発生装置とで構成するものであり、上記空気圧シリンダ３ｂ、３ｂは、それぞれその下端を上記支持フレーム３ａ、３ａの前端に回動自在にピン結合し、各ロッドの先端を前記背部対応部２ａの裏面両側に回動自在にピン結合したものである。
【００４６】
上記支持フレーム３ａ、３ａ及び上記空気圧シリンダ３ｂ、３ｂは、それぞれ、前記背部対応部２ａ及び腰部対応部２ｂの下方に進退自在に進入する前記脚部対応部２ｃ及びその付属機構と干渉し合わないように、該背部対応部２ａ及び腰部対応部２ｂの両側に適切に寄せて配設する。なお前記脚部対応部２ｃは、図３に示すように、幅狭に構成し、以上の支持フレーム３ａ、３ａ等をその両側外方に構成する余地の幅とする。
【００４７】
また前記背部対応部２ａ及び腰部対応部２ｂには、図４及び図７に示すように、それぞれこれらをベッド本体１の前後方向に移動するための移動手段を構成する。この移動手段は、該背部対応部２ａ及び腰部対応部２ｂの両側部に一対ずつ配した転動ローラ８、８と、これらが転動自在に配置される両側の案内レール９、９とで構成したものである。上記各案内レール９は、該背部対応部２ａ及び腰部対応部２ｂの各側部に沿ってベッド本体１の前端から後端までの間に配したものであり、前記各転動ローラ８がこの上を転動することにより、該背部対応部２ａ及び腰部対応部２ｂがベッド本体１の前端と後端の間を移動し得るようになっている。
【００４８】
前記往復駆動機構４は、既述のように、前記背部対応部２ａ及び腰部対応部２ｂをベッド本体１の前後方向に動かすための駆動機構であるが、これは、この実施例では、図７に示すように、前記各案内レール９の前後端にそれぞれ配した端部プーリ４ａ、４ａと、前記腰部対応部２ｂの両側の各一対の転動ローラ８、８の前部のそれの固定軸及び後部のそれの固定軸にその両端を結合したワイヤ４ｂであって、前記各案内レール９に沿って前後方向に伸ばすとともに前後端で前記端部プーリ４ａ、４ａにそれぞれ掛け渡し、かつその途中を電動モータ４ｃに減速機を介して接続した駆動輪４ｄに掛け渡したワイヤ４ｂと、ベッド本体１の前端付近に位置する一対のテンションプーリ４ｅであって、上記ワイヤ４ｂの途中に外側から押し付けたテンションプーリ４ｅとで構成したものである。
【００４９】
前記分割マットレス２の内、脚部対応部２ｃは、図２に示すように、その前端及び後端に配した回転自在なローラ部材２ｃ１、２ｃ１と、これらを支持するフレーム（図示していない）と、上記ローラ部材２ｃ１、２ｃ１に掛け渡した無端ベルト部材２ｃ２と、上記無端ベルト部材２ｃ２の上方側の直下に配した滑面部材２ｃ３とで構成したものである。上記滑面部材２ｃ３は前記フレームに固設してあるものである。
【００５０】
上記脚部対応部２ｃにも、図３及び図８に示すように、前記背部対応部２ａ及び腰部対応部２ｂと同様に、ベッド本体１の前後方向に移動するための移動手段を構成する。この移動手段は、該脚部対応部２ｃの両側部にそれぞれ一対ずつ配した転動ローラ１０、１０と、これらが転動自在に配置される案内レール１１、１１とで構成したものである。上記各案内レール１１は、該脚部対応部２ｃの両側部に沿ってベッド本体１の前端近傍から後端までの間に配したものであり、前記転動ローラ１０、１０がこの上を転動することにより、該脚部対応部２ｃがベッド本体１の後端と前端側の途中、少なくとも、その後端が前記腰部対応部２ｂの下方に入るまでの間を移動することができるようになっている。
【００５１】
以上のように、上記案内レール１１、１１は、上記脚部対応部２ｃが、前記背部対応部２ａ及び腰部対応部２ｂの直下に進退自在に移動する必要があるので、その高さ位置に配すべきものである。また上記案内レール１１、１１を含む移動手段は、前記起伏駆動機構３と干渉し合わないように、それより内側に位置するように構成すべきである。
【００５２】
なお前記脚部対応部２ｃは、以上のように、前記背部対応部２ａ及び腰部対応部２ｃより、その厚み分を若干越える分だけ低い位置に位置することとなるので、図２に示すように、この部分の凹みを補う、補助マット２ｄをその上に配することとする。
【００５３】
前記進退駆動機構５は、既述のように、前記脚部対応部２ｃをベッド本体１の後端から前記背部対応部２ａ及び腰部対応部２ｂの下方に進退自在に進入させるための駆動機構であるが、これは、図８に示すように、前記各案内レール１１の前後端にそれぞれ配した端部プーリ５ａ、５ａと、前記脚部対応部２ｃの両側の各一対の転動ローラ１０、１０の前部のそれの固定軸及び後部のそれの固定軸にその両端を結合したワイヤ５ｂであって、前記各案内レール１１に沿って前後方向に伸ばすとともに前後端で前記端部プーリ５ａ、５ａにそれぞれ掛け渡し、かつその途中を電動モータ５ｃに減速機を介して接続した駆動輪５ｄに掛け渡した各ワイヤ５ｂと、ベッド本体１の前端付近に位置する各テンションプーリ５ｅであって、上記ワイヤ５ｂの途中に外側から押し付けたテンションプーリ５ｅとで構成したものである。
【００５４】
図２に示すように、前記便器６は前記脚部対応部２ｃの下方に配置する。該便器６の下部には、これに排便された便を受け取る便槽６ａを備える。臭気等を周囲に撒き散らさないように、用便時にはその内部を陰圧に保持する吸引手段を備え、かつ便器６内を洗浄する水洗手段を備えている。
【００５５】
前記脇の下支持部７は、図１、図２及び図５に示すように、前記ベッド本体１の後端付近の両側からそれぞれ後方に傾いた状態で昇降自在に立ち上げた一対の支持脚７ａ、７ａと、該両支持脚７ａ、７ａの上端間をつなぐ連結部材７ｂと、該連結部材７ｂの中央部に人の肩幅を越える程度の間隔で隙間をあけ、かつその隙間の両端にそれぞれ回動自在に軸着した一対の棒状支持材７ｃ、７ｃと、前記両支持脚７ａ、７ａを昇降駆動する昇降駆動手段７ｄとで構成したものである。
【００５６】
なお上記脇の下支持部７の支持脚７ａ、７ａ及びその昇降駆動手段７ｄは、前記背部対応部２ａ及び腰部対応部２ｂの移動手段及び往復駆動機構４より外側に構成し、相互に干渉し合わないように位置決めする。
【００５７】
前記棒状支持材７ｃの一方の先端には、両棒状支持材７ｃ、７ｃで脇の下を支持された被介護者の背中に回して他の棒状支持材７ｃの先端に接続することで、該被介護者をより安全に支持するためのベルト７ｃ１の一端を接続しておく。ベルト７ｃ１の先端には図示しないリングを構成しておき、かつ前記他の棒状支持材７ｃの先端には該リングを係止するフック部（図示していない）を構成しておいて、両者を簡単に接続できるようにしておく。
【００５８】
前記連結部材７ｂは、その両端をそれぞれ対応する支持脚７ａの上端と水平方向に回動自在かつ着脱自在に結合するものである。これらの結合は、この実施例では、図６(a)及び(b)に示すように、支持脚７ａの上端に突設した連結ピン７ａ１と、該連結ピン７ａ１に回動自在かつ着脱自在に嵌合する介在物１２と、前記連結部材７ｂの端部に上記介在物１２を密に嵌合し得るように構成した連結穴部７ｂ１とで構成したものである。
【００５９】
なお上記連結穴部７ｂ１、７ｂ１には、図６(a)及び(b)に示すように、それぞれ他方の連結部の連結ピン７ａ１を中心に連結部材７ｂを回動させるとすれば描かれることとなる円弧に沿って内側に離脱用切欠部７ｂ２を構成しておくものとする。こうすれば、一方の連結部の介在物１２を抜き取っておき、他方の連結部の連結ピン７ａ１を中心に前記連結部材７ｂを回動させれば、前記一方の連結部の連結穴部７ｂ１から対応する前記連結ピン７ａ１が、離脱用切欠部７ｂ２を通過して抜け出ることができることとなる。
【００６０】
また前記両支持脚７ａ、７ａを昇降駆動する二つの昇降駆動部を有する昇降駆動手段７ｄは、次のように構成する。
上記昇降駆動手段７ｄの一方の昇降駆動部は、図９に示すように、前記支持脚７ａの下部をスライド自在に支持する案内筒７ｄ１であって、その側部にほぼ全長にわたって形成したスリット７ｄ２を備えた案内筒７ｄ１と、該案内筒７ｄ１の両端にそれぞれ配した端部プーリ７ｄ３、７ｄ３と、該案内筒７ｄ１のスリット７ｄ２から突出している、前記支持脚７ａの連結ピン７ａ１に、両端を結合したワイヤ７ｄ４であって、それぞれ前記スリット７ｄ２に沿って両端方向に伸ばすとともに、両端で前記端部プーリ７ｄ３、７ｄ３にそれぞれ掛け渡し、かつその途中を電動モー７ｄ５に減速機を介して接続した駆動輪７ｄ６に掛け渡したワイヤ７ｄ４と、上記駆動輪７ｄ６の手前に位置する一対のテンションプーリ７ｄ７、７ｄ７であって、上記ワイヤ７ｄ４の途中にそれぞれ外側から押し付けたテンションプーリ７ｄ７、７ｄ７とで構成したものである。上記電動モータ７ｄ５は両昇降駆動部に於いて共通とする。
【００６１】
したがってこの実施例の介護用ベッドによれば、次のように、自力で起き上がることができない老人や重病人等の被介護者をこれに寝せて使用すると、その上半身を起こす場合、用便をさせる場合、あるいはベッドから降ろして車椅子等に移動させる場合に、容易にそのような動作を補助することができて好都合である。
【００６２】
まずこの実施例の介護用ベッドに寝ている被介護者の上半身を起こす場合は、前記起伏駆動機構３を動作させ、前記分割マットレス２の内、背部対応部２ａを起立動作させれば良い。これは、図２に一点鎖線で示すように、前記起伏駆動機構３の空気圧シリンダ３ｂ、３ｂを伸長させることによって行うことができる。逆に元の伏状態に復帰させるにはが空気圧シリンダ３ｂ、３ｂを短縮動作させれば良いのは云うまでもない。
【００６３】
こうして前記分割マットレス２の内の背部対応部２ａが起立させられると、これによって被介護者は背中から押し上げられて、上半身が徐々に起こされることになる。勿論、この場合、必要に応じて、身体にかけてある毛布や布団の内、上半身にかけてある部分を足下の方に折り返し、あるいは全体を除去しておくこととする。
【００６４】
用便をするために、上半身を起こさせた場合は、掛け布団等を取り除き、かつ前記分割マットレス２の内、脚部対応部２ｃ上に載せてあった補助マット２ｄを取り除いた上で、前記往復駆動機構４を動作させ、前記分割マットレス２の内の背部対応部２ａ及び腰部対応部２ｂをベッド本体１の後端側に移動させる。
【００６５】
前記電動モータ４ｃを所定方向に回転させると、前記腰部対応部２ｃを、両側の転動ローラ８、８の内の後方のそれの固定軸を介して前記ワイヤ４ｂのベッド本体１の後端方向側がこの方向に引っ張り、前記背部対応部２ａを起立させた状態で、該背部対応部２ａ及び腰部対応部２ｂを後者がベッド本体１の後端に接するまで移動させる。
【００６６】
そして、こうして被介護者をベッド本体１の後端側に移動させ、ついにはその両脚を該ベッド本体１の後端から垂下させるようにする。なおこのような被介護者の移動の際に、その両脚は、前記脚部対応部２ｃ上をベッド本体１の後端側に滑るようにして移動することとなるが、このとき、該脚部対応部２ｃの上面は、回転自在なローラ部材２ｃ１、２ｃ１に掛け渡された無端ベルト部材２ｃ２で構成されているため、この上面が、被介護者の脚部の移動に伴って同方向に移動するので、無理な摩擦等が生ぜず、楽に移動させることができることとなる。
【００６７】
こうして被介護者がベッド本体１の後端まで移動し、その両脚を該部位から外側に垂下させるような状態になる時点で、あるいはその前に、図１に一点鎖線で示すように、前記脇の下支持部７の一対の棒状支持材７ｃ、７ｃを人の脇の下の幅で平行にベッド本体１の前方側に向けた状態に回動させておくこととする。しかして移動されてきた被介護者の脇の下に上記棒状支持材７ｃ、７ｃを挿入し、該被介護者の上半身を起こした状態をこれによって確実に支持することができる。
【００６８】
この後、前記棒状支持材７ｃの一方に接続してあるベルトを７ｃ１を該被介護者の背中に回し、該ベルト７ｃ１の他端のリングを他の棒状支持材７ｃの先端のフック部に接続する。こうして被介護者をより安全性高く支持することができる。
【００６９】
この状態から、前記脇の下支持部７の棒状支持材７ｃをベッド本体１の後方に向かって斜め上方に上昇させると、被介護者は脇の下及び背中で支えられた状態で、その上半身が徐々に後方に移動させられながらベッド本体１の後端後方に移動して立ち上がることとなる。なお前記棒状支持材７ｃ、７ｃの上記のような上昇は、前記昇降駆動手段７ｄを上昇駆動させ、これによって前記両支持脚７ａ、７ａを同方向に向かって上昇させることによって行うことができる。
【００７０】
前記昇降駆動手段７ｄに於いては、前記電動モータ７ｄ５を所定方向に回転駆動させることにより、前記ワイヤ７ｄ４の上方の端部プーリ７ｄ３に掛け渡した側を引っ張り、これによって前記案内筒７ｄ１にスライド自在に案内されている支持脚７ａをその下部に構成した結合突起７ａ１を介して引き上げ、この支持脚７ａの引き上げ動作を通じて前記棒状支持材７ｃ、７ｃを上昇させているものである。
【００７１】
被介護者をこのように棒状支持材７ｃ、７ｃにより脇の下で支持し、ベルト７ｃ１により背中で支持して、前記立ち上がり状態を保持する間に、前記往復駆動機構４を動作させ、前記分割マットレス２の背部対応部２ａ及び腰部対応部２ｂを定位置まで復帰させ、更に同時に又は順次、前記進退駆動機構５を動作させて、前記分割マットレス２の脚部対応部２ｃを、定位置に復帰した背部対応部２ａ及び腰部対応部２ｂの下方に移動進入させる。
【００７２】
このとき、前記往復駆動機構４に於いて、前記電動モータ４ｃを前記所定方向と逆方向に回転させると、前記腰部対応部２ｃを、両側の転動ローラ８、８の内の前方のそれの固定軸を介して前記ワイヤ４ｂのベッド本体１の前端方向側がこの方向に引っ張り、前記背部対応部２ａを起立させた状態のままで、該背部対応部２ａ及び腰部対応部２ｂを前者がベッド本体１の前端に接するまで移動させるものである。
【００７３】
またこのとき、前記進退駆動機構５に於いては、前記電動モータ５ｃを所定方向に回転させると、前記脚部対応部２ｃを、両側の転動ローラ１０、１０の内の前方のそれの固定軸を介して前記ワイヤ５ｂのベッド本体１の前端方向側がこの方向に引っ張り、前記脚部対応部２ｃをその後端が、定位置に復帰した腰部対応部２ｂの後端より前方に進入するまで移動させるものである。
【００７４】
こうして前記脚部対応部２ｃが定位置に戻った前記腰部対応部２ｂ等の下方に移動してしまうと、該脚部対応部２ｃに被覆されていた便器６がその下から現れる。ここで前記脇の下支持部７の棒状支持材７ｃ、７ｃを下降動作させると、該棒状支持材７ｃ、７ｃは、前記したのとは逆に、ベッド本体１の前方に向かって斜めに下降する動作になるので、これ及びベルト７ｃ１によって支持されている被介護者はその下降とともに下降し、ついには前記便器６に腰掛ける状態になる。
【００７５】
なお前記棒状支持材７ｃ、７ｃの上記のような下降は、前記昇降駆動手段７ｄを下降駆動させ、これによって前記両支持脚７ａ、７ａを同方向に向かって下降させることによって行うものである。
【００７６】
このとき、前記昇降駆動手段７ｄに於いては、前記電動モータ７ｄ５を前記所定方向と逆方向に回転駆動させることにより、前記ワイヤ７ｄ４の下方の端部プーリ７ｄ３に掛け渡した側を引っ張り、これによって前記案内筒７ｄ１にスライド自在に案内されている支持脚７ａをその下部に構成した結合突起７ａ１を介して引き下げ、この支持脚７ａの引き下げ動作を通じて前記棒状支持材７ｃ、７ｃを下降させているものである。
【００７７】
したがって該脇の下支持部７の棒状支持材７ｃ、７ｃの下降動作を開始する前に、被介護者が立っている状態で、必要な着衣を脱がせる等の処置をしておけば、該棒状支持材７ｃ、７ｃを必要なだけ下降動作させることにより、被介護者を、上記のように、用便可能な状態で前記便器６に腰掛けさせることができることとなる。そして被介護者は、この状態で、該棒状支持材７ｃ、７ｃ及び背後のベルト７ｃ１で安全に保護されつつ排便動作を行うことができる。
【００７８】
排便の終了後には、前記昇降駆動手段７ｄを上昇駆動させて前記両支持脚７ａ７ａを上昇動作させ、これによって該棒状支持材７ｃ、７ｃを上昇させることにより、被介護者を立ち上がらせ、この後、必要な処置を取り、かつ着衣を着せ、これと前後して、前記進退駆動機構５を動作させて、前記分割マットレス２の脚部対応部２ｃを、定位置、即ち、便器６の上に復帰させる。なお便器６の水洗手段を適当な時点で動作させて洗浄すべきなのは云うまでもない。
【００７９】
この後、若しくは、前記脚部対応部２ｃを上記のように定位置に復帰させるのと同時に、前記往復駆動機構４を動作させ、前記分割マットレス２の背部対応部２ａ及び腰部対応部２ｂをベッド本体１の後端側に移動させ、次いで、また前記脇の下支持部７の棒状支持材７ｃ、７ｃを下降動作させて、被介護者を、前記脚部対応部２ｃ上に位置する腰部対応部２ｂ上に腰掛けさせる。このとき、前記背部対応部２ａは起立状態にしてあるので、その状態を維持しながら、被介護者の背中を支持していたベルト７ｃ１を取り外し、該背部対応部２ａに寄りかからせるようにする。
【００８０】
この状態で、また前記往復駆動機構４を動作させて前記背部対応部２ａ及び腰部対応部２ｂを定位置に復帰させ、更に前記起伏駆動機構３を伏動作させて、該背部対応部２ａを伏状態に戻し、次いで、前記脚部対応部２ｃに補助マット２ｄを載せ、加えて、先に除去した掛け布団等を被介護者の上に載せれば、寝ている状態から排便を行い、そしてまた寝ている状態に復帰する動作が完了する。
【００８１】
以上のように、起立していた前記背部対応部２ａは、前記起伏駆動機構３の空気圧シリンダ３ｂを短縮動作させることで、元の状態である伏状態に復帰する。
【００８２】
次に、被介護者をベッドから降ろして車椅子Ｃに移動して座らせる場合について説明する。
この場合は、ベッド本体１の後端まで被介護者を移動させて、この位置で脇の下支持部７を使用して立ち上がらせるまでは、以上の用便をさせる手順と同様である。したがってそれに続く動作から説明する。
【００８３】
この段階、即ち、被介護者を、その両脇の下にそれぞれ前記脇の下支持部７の棒状支持材７ｃ、７ｃを挿入し、それらの先端間に配したベルト７ｃ１で背中から支持した上で立ち上がらせた段階で、前記連結部材７ｂの両端と両支持脚７ａ、７ａとの結合部の内の一方の結合を解く。
【００８４】
ここでは、図５に示すように、例えば、前記連結部材７ｂの右端の結合部の結合を解くこととする。これは、図６に示すように、当該の結合部の連結穴部７ｂ１から介在物１２を除去することで簡単に行うことができる。該介在物１２を取り除くと、左端の支持脚７ａの連結ピン７ａ１を中心に前記連結部材７ｂを反時計回りに回動させることが可能になり、このように回動させると、介在物１２を抜き取った連結穴部７ｂ１から対応する支持脚７ａの連結ピン７ａ１が、離脱用切欠部７ｂ２を通過して抜け出ることができることとなるためである。
【００８５】
このようにして、結合を維持している左側の支持脚７ａの連結ピン７ａ１を中心に該連結部材７ｂを反時計回りにゆっくり回動させると、前記脇の下支持部７の一対の棒状支持材７ｃ、７ｃに両脇の下を支持され、背中を前記ベルト７ｃ１で支持された被介護者は、これに追随してゆっくりとその方向に移動し、図５に示すように、該連結部材７ｂをベッド本体１の長さ方向と平行になるまで回動させると、該被介護者の背中側をベッド本体１の後方でその長さ方向に直交する方向に向けた状態に移行させることができる。
【００８６】
該被介護者を、以上のようにベッド本体１の後方に移動させ、かつ上記のように、ベッド本体１の長さ方向に直交する向きに背中を向けさせると、図５に示すように、該被介護者の背後に車椅子Ｃを移動させることが容易になり、かつ背後に移動させた車椅子Ｃに被介護者は単に腰を下ろすだけで、容易に着座することができる。その際に、予め、前記ベルト７ｃ１を外しておくべきことは云うまでもない。
【００８７】
この後、被介護者の乗った車椅子Ｃを該位置から移動させた上で、前記連結部材７ｂを逆方向に回動させ、取り外した方の端部の連結穴部７ｂ１に対応する支持脚７ａの連結ピン７ａ１を導き入れ、更に前記介在物１２をその中心の孔に上記連結ピン７ａ１を回動自在に挿入させつつ前記連結穴部７ｂ１に嵌合させて結合しておくこととする。
【００８８】
【発明の効果】
したがって本発明の１及び２のそれぞれの介護用ベッドによれば、自力で起き上がることができない老人や重病人等の被介護者をこれに寝せると、上半身を起こす場合、用便をさせる場合、あるいはベッドから降ろして車椅子等に移動させる場合に、容易にそのような動作を補助することができる。
【００８９】
本発明の２の介護用ベッドによれば、前記分割マットレスの背部対応部を起立させてこれに寝ていた被介護者の上半身を起こした上で、該背部対応部及び前記腰部対応部をベッド本体の後端側に移動させる際に、該被介護者の脚や足の同方向への移動に伴って、前記脚部対応部を構成する無端ベルト部材の上面側に位置する部位が後方に押しやられ、これによって前記被介護者の脚等との間で無用の摩擦等が生じない利点がある。
【００９０】
本発明の１及び２のそれぞれの介護用ベッドによれば、脇の下支持部の棒状支持材を、不要な場合には連結部材上に重ねておくことができ、必要な場合には容易に必要な状態に回動させて引き出すことができる。また上記両棒状部材で被介護者の脇の下を支持した上で、前記両支持脚を伸長させれば、該被介護者を、それだけでベッド本体の後方に立たせることができ、またこれを縮小させれば、それだけでベッド本体の後端又は便器上に着座させることもできる。
【００９１】
本発明の１及び２のそれぞれの介護用ベッドによれば、特に前記連結部材を、その一端の支持脚との結合を解いて、他端の支持脚を中心に水平方向に回動させる場合に、前記棒状支持材で支えている被介護者の体重等をより安定して支持することができることとなる。
【図面の簡単な説明】
【図１】一実施例の介護用ベッドの平面説明図。
【図２】一実施例の介護用ベッドの側面説明図。
【図３】分割マットレスの脚部対応部を示す断面説明図。
【図４】分割マットレスの背部対応部を示す断面説明図。
【図５】脇の下支持部の動作を示す平面説明図。
【図６】  (a)は脇の下支持部の連結部材と支持脚との連結部の構成を示す分解状態の平面説明図。
(b)は脇の下支持部の連結部材と支持脚との連結部の構成を示す分解状態の一部切欠側面説明図。
【図７】分割マットレスの背部対応部及び腰部対応部の往復駆動機構を示す側面説明図。
【図８】分割マットレスの進退駆動機構を示す側面説明図。
【図９】脇の下支持部の昇降駆動機構を示す側面説明図。
【符号の説明】
１    ベッド本体
２    分割マットレス
２ａ  背部対応部
２ｂ  腰部対応部
２ｃ  脚部対応部
２ｃ１  ローラ部材
２ｃ２  無端ベルト部材
２ｃ３  滑面部材
２ｄ  補助マット
３    起伏駆動機構
３ａ  支持フレーム
３ｂ  空気圧シリンダ
４    往復駆動機構
４ａ  端部プーリ
４ｂ  ワイヤ
４ｃ  電動モータ
４ｄ  駆動輪
４ｅ  テンションプーリ
５    進退駆動機構
５ａ  端部プーリ
５ｂ  ワイヤ
５ｃ  電動モータ
５ｄ  駆動輪
５ｅ  テンションプーリ
６    便器
６ａ  便槽
７    脇の下支持部
７ａ  支持脚
７ａ１  連結ピン
７ｂ  連結部材
７ｂ１  連結穴部
７ｂ２  離脱用切欠部
７ｃ  棒状支持材
７ｃ１  ベルト
７ｄ  昇降駆動手段
７ｄ１  案内筒
７ｄ２  スリット
７ｄ３  端部プーリ
７ｄ４  ワイヤ
７ｄ５  電動モータ
７ｄ６  駆動輪
７ｄ７  テンションプーリ
８    転動ローラ
９    案内レール
１０  転動ローラ
１１  案内レール
１２  介在物
Ｃ    車椅子
ｈ    ヒンジ
【図１】
0003703011.tif 000002
【図２】
0003703011.tif 000003
【図３】
0003703011.tif 000004
【図４】
0003703011.tif 000005
【図５】
0003703011.tif 000006
【図６】
0003703011.tif 000007
【図７】
0003703011.tif 000008
【図８】
0003703011.tif 000009
【図９】
0003703011.tif 000010